(57)【要約】【課題】印刷物の画像領域内に形成した２種類の絵柄について、遠距離と近距離で視点を変化させることで、視認できる絵柄が明確に切り替わる画像形成体を提供するものである。【解決手段】    基材の少なくとも一部の画像領域に、基材と異なる第１の色を有する背景要素を複数有して成る背景部と、第１の色と異なる第２の色を有する画像構成要素と、背景要素と周囲長が等しく画像構成要素を囲むように配置された第１の色を有する第１のカモフラージュ要素から成る第１の画像要素を複数有して成る第１の画像部と、第１の色を有し、背景要素と異なる周囲長で形成された第２の画像要素を複数有して成る第２の画像部を形成し、複数の画像構成要素によって第１の画像を形成し、複数の第２の画像要素によって、第２の画像を形成する。【選択図】  図１
2015039831.tif 000002
【特許請求の範囲】
【請求項１】
基材の少なくとも一部の画像領域に画像要素が一様に配置されて第１の画像と第２の画像が形成された画像形成体であって、前記画像領域は、前記基材と異なる第１の色を有する背景要素を複数有して成る背景部と、前記第１の色と異なる第２の色を有する画像構成要素と、前記背景要素と周囲長が等しく前記画像構成要素を囲むように配置された前記第１の色を有する第１のカモフラージュ要素から成る第１の画像要素を複数有して成る第１の画像部と、前記第１の色を有し、前記背景要素と異なる周囲長で形成された第２の画像要素を複数有して成る第２の画像部から成り、複数の前記画像構成要素によって前記第１の画像が形成され、少なくとも複数の前記第２の画像要素によって、前記第２の画像が形成されたことを特徴とする画像形成体。
【請求項２】
前記第２の画像要素の周囲長が前記背景要素の周囲長より小さく、前記背景部に配置された前記背景要素に重ならないように前記第１の色を有する補助要素が形成され、又は、前記第２の画像要素の周囲長が前記背景要素の周囲長より大きく、前記第１の画像部及び前記第２の画像部に配置された前記画像要素に重ならないように、前記第１の色を有する補助要素が形成されたことを特徴とする請求項１に記載の画像形成体。
【請求項３】
前記画像領域は、前記第１の画像部内に前記第２の画像部の一部と共通した共通画像部を有し、前記共通画像部は、前記画像構成要素と、前記第２の画像要素と周囲長が等しく前記画像構成要素を囲むように配置された前記第１の色を有する第２のカモフラージュ要素から成る第３の画像要素を複数有して成り、複数の前記画像構成要素によって、前記第１の画像が形成され、複数の前記第２の画像要素と前記第３の画像要素によって、前記第２の画像が形成されたことを特徴とする請求項１に記載の画像形成体。
【請求項４】
前記第２の画像要素の周囲長が前記背景要素の周囲長より小さく、前記共通画像部を除く前記第１の画像部又は前記第２の画像部のうちのいずれか一方に配置された前記画像要素と、前記背景部に配置された前記背景要素に重ならないように、前記第１の色を有する補助要素が形成され、又は、前記第２の画像要素の周囲長が前記背景要素の周囲長より大きく、前記第１の画像部及び前記第２の画像部に配置された前記画像要素に重ならないように、前記第１の色を有する補助要素が形成されたことを特徴とする請求項３に記載の画像形成体。
【請求項５】
前記画像要素が全て画線又は画素で構成されたことを特徴とする請求項１乃至４のいずれか１項に記載の画像形成体。
【発明の詳細な説明】
【技術分野】
【０００１】
本発明は、各種証明書、重要書類等の真偽判別性を求められる印刷物、あるいはポスター、看板等の意匠性を求められる印刷物に関するものである。
【背景技術】
【０００２】
各種証明書、重要書類等の印刷物においては、各種の偽造防止技術が含まれている。従来、このような技術の例として特殊網点印刷物や微小文字があった。
【０００３】
特殊網点印刷物は、網点単体に特殊な形状を用いたものである（例えば、特許文献１参照）。この印刷物は、通常の観察方法においては濃淡画像が視認でき、網点の形状を視認することができない。真偽判別の際には、ルーペ、虫眼鏡等の拡大鏡（以下「ルーペ等」とする）を使用することで、網点の形状を視認することができる。
【０００４】
微小文字もまた肉眼で識別できないことを特徴とし、ルーペ等を用いて観察することで初めて文字列が認識できる（例えば、特許文献２参照）。
【０００５】
また、網点形状の差を拡大時に視認できる技術として、特許文献３に挙げる印刷物がある。これは、網点内に、肉眼で認識できない大きさの白抜きを有するものであり、これについても、ルーペ等を用いれば上記した印刷物と同様の効果が得られる。
【０００６】
しかしながら、特許文献１乃至３の印刷物は、ルーペ等の道具を用い、拡大して真偽判別を行うものであるため、判別容易性に問題点があった。
【０００７】
上記技術と同様に網点の形状の差を利用したもので、ルーペ等の道具を用いることなく絵柄が視認できる印刷物として「ドットで構成された印刷物」がある（例えば、非特許文献１参照）。この模様構成例を図２９に示す。この模様は、一般的な網点よりも大きいドットにより構成され、すべてのドットは肉眼で認識できる。
【０００８】
ドットには２種類の形状があり、その違いはごくわずかな大きさの違いである。大きなドットで構成された領域（７１）と、小さなドットで構成された領域（７２）は、近距離による観察では判別できないが、遠距離から観察することで、前者が濃い模様、後者が淡い模様となり、作成者の意図した絵柄（図２９では五芒星の絵柄）が視認できる。
【０００９】
このような、観察距離の差を利用した模様の付与技術であれば、ルーペ等の道具を使うことなく、絵柄の視認可能状態と視認不可能状態をスイッチさせることができる。
【００１０】
同様に、観察距離の遠近差により絵柄がスイッチする技術として、ハイブリッドイメージがある。これは一般的に写真などの濃淡画像を用いるものであり、画像処理により、ある画像の低周波成分だけを抜き出したものに、別の画像の高周波成分を加算することで画像を形成する。これにより空間周波数の異なる２つの濃淡画像を合成した１枚の濃淡画像が作られる。
【００１１】
人の視覚の空間周波数応答は、空間周波数の高低に対し山型の特性を有しているということが一般的に知られている（例えば、非特許文献２参照）。すなわち、人の視覚には、観察対象の空間周波数が高すぎても低すぎても感度が合いにくい、という性質がある。
【００１２】
２次元画像を目視で観察する際は、観察距離の変化によって網膜内に投影される画像の大きさが変化するので、これに伴い空間周波数も変化する。従って、ハイブリッドイメージにおいては、遠距離から観察すると視覚の感度が低周波成分と合致し、近距離では高周波成分と合致する、というように、それぞれ別々の画像が視認できる。
【００１３】
このように、ハイブリッドイメージの特徴として、前述した「ドットで構成された印刷物」と異なり、近距離と遠距離で別種の絵柄を切り替えられるという点がある。
【先行技術文献】
【特許文献】
【００１４】
【特許文献１】特開２０１０−１５８８２５号公報
【特許文献２】実用新案第３０３０５３４号公報
【特許文献３】特開２０１２−８１７３９号公報
【非特許文献】
【００１５】
【非特許文献１】「ふしぎな模様の描き方」、１０４ｐ〜１０５ｐ、小川雄一著、おまけたらふく舎、２０１１
【非特許文献２】「知識ベース」、電気情報通信学会、３ｐ、市原  茂著、２０１０．２．１
【発明の概要】
【発明が解決しようとする課題】
【００１６】
しかしながら、ハイブリッドイメージの技術において、仮に合成する画像同士の特徴が大きく異なる画像によってハイブリッドイメージを作成した場合、視覚の感度が高周波成分に適応している状態（近距離観察時）においては、高周波成分に対応した画像が強調されて見えるが、低周波成分が消えることはないため、絵柄が完全には切り替わらない。そのため、ハイブリッドイメージは通常、表情の異なる同一人物の写真等のように、輪郭などの特徴点が合致する２種類の画像を用いることが多い。
【００１７】
このように、ハイブリッドイメージは、大きく異なる画像同士の場合には画像のスイッチ効果が低いという問題点がある。
【００１８】
しかし、各種証明書、重要書類等の真偽判別性が求められる印刷物、あるいはポスター、看板等の意匠性が求められる印刷物等を対象とした場合、異なる絵柄がスイッチする構成である方が、より効果的である。例として、イラストとテキストロゴのスイッチや、風景写真と人物写真のスイッチ等が挙げられる。
【００１９】
そこで、本発明は、印刷物の画像領域内に形成した２種類の絵柄について、遠距離と近距離で視点を変化させることで、視認できる絵柄が明確に切り替わる画像形成体を提供することを目的とする。
【課題を解決するための手段】
【００２０】
本発明の画像形成体は、基材の少なくとも一部の画像領域に画像要素が一様に配置されて第１の画像と第２の画像が形成された画像形成体であって、画像領域は、基材と異なる第１の色を有する背景要素を複数有して成る背景部と、第１の色と異なる第２の色を有する画像構成要素と、背景要素と周囲長が等しく画像構成要素を囲むように配置された第１の色を有する第１のカモフラージュ要素から成る第１の画像要素を複数有して成る第１の画像部と、第１の色を有し、背景要素と異なる周囲長で形成された第２の画像要素を複数有して成る第２の画像部から成り、複数の画像構成要素によって第１の画像が形成され、少なくとも複数の第２の画像要素によって、第２の画像が形成されたことを特徴とする。
【００２１】
また、本発明の画像形成体は、第２の画像要素の周囲長が背景要素の周囲長より小さく、背景部に配置された背景要素に重ならないように第１の色を有する補助要素が形成され、又は、第２の画像要素の周囲長が背景要素の周囲長より大きく、第１の画像部及び第２の画像部に配置された画像要素に重ならないように、第１の色を有する補助要素が形成されたことを特徴とする。
【００２２】
また、本発明の画像形成体は、画像領域は、第１の画像部内に第２の画像部の一部と共通した共通画像部を有し、共通画像部は、画像構成要素と、画像構成要素を囲むように配置された第１の色を有する第２のカモフラージュ要素によって構成され、かつ、第２の画像要素と周囲長が等しい第３の画像要素を複数有して成り、複数の画像構成要素によって、第１の画像が形成され、複数の第２の画像要素と第３の画像要素によって、第２の画像が形成されたことを特徴とする。
【００２３】
また、本発明の画像形成体は、第２の画像要素の周囲長が背景要素の周囲長より小さく、共通画像部を除く第１の画像部又は第２の画像部のうちのいずれか一方に配置された画像要素と、背景部に配置された背景要素に重ならないように、第１の色を有する補助要素が形成され、又は、第２の画像要素の周囲長が背景要素の周囲長より大きく、第１の画像部及び第２の画像部に配置された画像要素に重ならないように、第１の色を有する補助要素が形成されたことを特徴とする。
【００２４】
また、本発明の画像形成体は、画像要素が全て画線又は画素で構成されたことを特徴とする。
【発明の効果】
【００２５】
本発明の画像形成体は、近距離と遠距離のうち、一方の観察距離で観察したときに視認できる画像が他方の観察距離で観察したときに視認できる画像に影響することなく、視認できる画像が鮮明に変化する効果が得られ、これによって、真偽判別性が向上する。
【００２６】
また、本発明の画像形成体は、ハイブリッドイメージのように、近距離と遠距離で視認できる画像を形成するときの制約がなく、輪郭が異なる画像であっても、近距離と遠距離で観察したときに視認できる画像として施すことができる。これによって、デザイン性の自由度が高い印刷物を提供することができる。
【図面の簡単な説明】
【００２７】
【図１】本発明の画像形成体の概要を示す図である。
【図２】画像形成体が有する画像領域の構成を示す図である。
【図３】画像領域を構成する各部位の構成を示す図である。
【図４】画像形成体を近距離と遠距離で観察したときに視認される画像を示す図である。
【図５】画素で構成した背景部の構成を示す図である。
【図６】画素の形状の他の例を示す図である。
【図７】画素で構成した第１の画像部の構成を示す図である。
【図８】画像構成要素と第１のカモフラージュ要素の位置関係を示す図である。
【図９】画素で構成した第２の画像部の構成を示す図である。
【図１０】近距離で観察した場合の各部位の一部拡大図及び観察結果を示す図である。
【図１１】遠距離で観察した場合の各部位の一部拡大図及び観察結果を示す図である。
【図１２】画線で構成した背景部の構成を示す図である。
【図１３】画線で構成した第１の画像部の構成を示す図である。
【図１４】画線で構成した第２の画像部の構成を示す図である。
【図１５】第２の実施の形態における画像形成体の概要を示す図である。
【図１６】第２の実施の形態における画像領域を構成する各部位の構成を示す図である。
【図１７】画素で構成した共通画像部の構成を示す図である。
【図１８】近距離で観察した場合の共通画像部の一部拡大図及び観察結果を示す図である。
【図１９】遠距離で観察した場合の共通画像部の一部拡大図及び観察結果を示す図である。
【図２０】画線で構成した共通画像部の構成を示す図である。
【図２１】第３の実施の形態において、第１の画像部に補助要素が配置された構成を示す図である。
【図２２】背景部に補助要素が配置された構成を示す図である。
【図２３】第２の画像部に補助要素が配置された構成を示す図である。
【図２４】背景部に補助要素を配置された場合の構成を示す図である。
【図２５】画線で構成された補助要素が配置された構成を示す図である。
【図２６】実施例１の画像形成体の構成を示す図である。
【図２７】実施例２の画像形成体の構成を示す図である。
【図２８】実施例３の画像形成体の構成を示す図である。
【図２９】従来技術のドットで構成された印刷物の構成を示す図である。
【発明を実施するための形態】
【００２８】
（第１の実施の形態）
本発明の第１の実施の形態における画像形成体（１）の概要について説明する。本発明の画像形成体（１）は、図１に示すように、基材（２）の少なくとも一部に画像領域（３）を有する。本発明に用いる基材（２）には、上質紙、コート紙等の紙材又は、フィルム、プラスティック板等、平坦な面を有するものであれば如何なるものであっても良く、材質や外形形状、寸法、色等に関しては限定されるものではない。図１において、画像形成体（１）は、額面（５）、記番号（６）が印刷された商品券の例を示しているが、本発明の画像形成体（１）は、銀行券、パスポート、諸証券等の真偽判別を行うセキュリティ製品や、ポスター、広告、看板等の一般製品の形態であっても良い。また、図１において、基材（２）の一部が画像領域（３）で構成された状態を示しているが、本発明の画像形成体（１）は、基材（２）全体が画像領域（３）で構成されても良い。
【００２９】
図２（ａ）は、画像領域（３）の一部拡大図であり、画像領域（３）には、画像要素（４）が複数配置される。本発明において、画像要素（４）とは、画素又は画線である。
【００３０】
本明細書でいう「画素」とは、画像を構成する最小単位である網点自体か、網点を複数集合させて形成した一塊の画像要素であって、例えば円、三角形や四角形等を含む多角形、星形等の各種図形、文字や記号等が含まれ、画素の形状は如何なるものであっても本発明における画素に含まれるものとする。また、本明細書でいう「画線」とは、網点を一定方向に隙間無く連続して配置して構成した画像要素であって、点線や破線の分断線、直線、曲線及び波線のことであり、如何なる画線形状で構成しても本発明の技術的思想の範囲に含まれる。なお、図２（ａ）は画素で構成される画像要素（４）が配置された状態を示している。
【００３１】
画像領域（３）に配置される画像要素（４）の詳細な構成については後述するが、画像領域（３）は、図２（ｂ）に示すように、異なる構成の画像要素（４）がそれぞれ配置された３つの部位、すなわち、第１の画像部（１０）、第２の画像部（２０）及び背景部（３０）で構成される。
【００３２】
異なる画像要素（４）から構成されている各部位の詳細を図３（ａ）〜（ｃ）を用いて説明する。本実施の形態では、第１の画像部（１０）を図３（ａ）に示す「ｎｅａｒ」の文字とし、第２の画像部（２０）を図３（ｂ）に示す「ｆａｒ」の文字として説明するが、本発明において第１の画像部（１０）及び第２の画像部（２０）の形状は、他の記号、文字、図形等であっても良い。図３（ｃ）は、第１の画像部（１０）と第２の画像部（２０）の背景となる背景部（３０）を示す図である。
【００３３】
本発明の画像形成体（１）は、近づけて観察すると図４（ａ）に示すように、第１の画像部（１０）が現す画像「以下、第１の画像（１０Ｓ）という。」を視認でき、遠ざけて観察すると図４（ｂ）に示すように、第２の画像部（２０）が現す「以下、第２の画像（２０Ｓ）という。」を視認できる。なお、画像形成体（１）を観察する距離は、画像形成体（１）の大きさにもよるが、例えば、各種証券のように手で持って観察する場合、腕の曲げ伸ばしの範囲であり、この場合、腕を曲げて１０ｃｍ程度が近づけて観察するときの距離であり、腕を伸ばして６０ｃｍ程度が遠ざけて観察するときの距離である。なお、近づけて観察する距離と、遠ざけて観察する距離の間では、第１の画像部（１０）と第２の画像部（２０）による画像の両方が混在した状態であり、それぞれの画像が視認できる状態から、観察する距離が離れるほど、徐々に画像が視認し難くなる。このように、本発明の画像形成体（１）は、観察する距離を変化させた場合に、視認できる画像が変化することで、真偽判別をすることができる。以下、本発明の第１の実施の形態における画像形成体（１）の各部の詳細について説明する。なお、はじめに、画素の形態について説明し、画線の形態については後述する。
【００３４】
画像形成体（１）が画素で構成される場合の各部の構成について図５から図８を用いて説明する。
【００３５】
（背景部）
図５は背景部（３０）の構成を示す図である。図５（ａ）の拡大図に示すように、背景部（３０）は、基材（２）と異なる第１の色の背景要素（３１）が複数配置されて成る。なお、図５（ａ）では画素の例として、背景要素（３１）が幅（Ｗ１）及び高さ（Ｈ１）の正方形で複数配置された状態を示している。
【００３６】
本発明において、基材（２）と異なる第１の色の画像要素（４）を形成する方法としては、基材（２）と異なる色のインキで印刷したり、すき入れ装置によって形成することができる。透かしの状態で形成した画像要素（４）も、透かして観察する時に、基材（２）に対して輝度値の差による色の差が生じることから、透かしで形成される画像要素（４）も、本発明でいう基材（２）と異なる色の概念に含まれる。なお、すき入れ装置とは、製紙工程で用いられる円網やダンディロールによる加工装置があり、他には、レーザー加工によって、基材の一部を除去する加工方法がある。
【００３７】
ここでいう「複数配置」には、「一定のピッチで配置された状態」と「一様に配置された状態」が存在する。なお、「一定のピッチで配置された状態」とは、図５（ａ）の拡大図に示すように、背景要素（３１）が２つの異なる方向に一定のピッチ（Ｐ１）及び（Ｐ２）で複数配置される状態を示す。また、「一様に配置された状態」とは、図５（ｂ）の拡大図に示すように、配置の仕方に特定の規則性は存在しないが、背景部（１０）の単位面積あたりに配置される背景要素（３１）の数が、背景部（１０）全体にわたってほぼ等しく、遠目で見たときに濃度が一定に見える状態を示す。ここでは図５（ａ）に示す「一定のピッチで配置された状態」について説明する。
【００３８】
本発明において、背景部（３０）に複数配置される背景要素（３１）はすべて周囲長が等しく形成される。
【００３９】
ここでいう「周囲長」とは１つの画像要素の外周部分の長さを示す。例えば、図５の拡大
【００４０】
図に示す背景要素（３１）の周囲長は以下の（数１）の式に示すとおりである。
（数１）
正方形の画素の周囲長＝（画素の幅（Ｗ１）＋画素の高さ（Ｈ１））×２
【００４１】
図６（ａ）及び図６（ｂ）は、画素の形態における背景要素（３１）の他の例を示す図であり、図６（ａ）は円形の画素の例、図６（ｂ）は正三角形の画素の例を示している。ここで円形の画素の周囲長（Ｌ１）の計算式は、以下の（数２）の式に示すとおりであり、正三角形の画素の周囲長（Ｌ２）の計算式は、以下の（数３）の式に示すとおりである。
【００４２】
（数２）
円形の画素の周囲長（Ｌ１）＝直径（Ｄ）×π
【００４３】
（数３）
正三角形の画素の周囲長（Ｌ２）＝一辺の長さ（Ｍ）×３
【００４４】
図６（ａ）及び図６（ｂ）に示す背景要素（３１）は異なる形状であるが、図６（ａ）に示す円形の画素の周囲長（Ｌ１）及び図６（ｂ）に示す三角形の画素の周囲長（Ｌ２）が等しければ同じ背景部（３０）に配置して良い。同様に、周囲長が等しければ図６に示す背景要素（３１）以外の形状であっても同じ背景部（３０）に配置しても良い。
【００４５】
本発明の原理については後述するが、背景要素（３１）は肉眼で確認可能な大きさで形成する。各種証券など、画像形成体（１）を手に持って観察する場合、背景要素（３１）の幅（Ｗ１）及び高さ（Ｈ１）は下限が０．５ｍｍ程度、上限が５ｍｍ程度で形成するのが好ましい。なお、背景要素（３１）の幅（Ｗ１）及び高さ（Ｈ１）の下限が０．５ｍｍ程度である理由は、背景要素（３１）を肉眼で確認するために必要な大きさである。また、背景要素（３１）の幅（Ｗ１）及び高さ（Ｈ１）の上限が５ｍｍ程度である理由は、遠距離と近距離で観察するときに解像度の良い画像を形成するための大きさである。背景要素（３１）の幅（Ｗ１）及び高さ（Ｈ１）の上限が５ｍｍより大きくても、遠距離と近距離で視認できる画像を形成することができるが、画像が粗くなってしまう。
【００４６】
（第１の画像部）
図７は、第１の画像部（１０）の構成を示す図である。図７の拡大図に示すように、第１の画像部（１０）は、第１の色と異なる第２の色を有する画像構成要素（１２）と、画像構成要素（１２）を囲んで隣接し、第１の色を有する第１のカモフラージュ要素（１３）から成る第１の画像要素（１１）が複数配置されて成る。なお、図７では画素の例としてカモフラージュ要素が幅（Ｗ２）及び高さ（Ｈ２）の正方形、画像構成要素が幅（Ｗ３）及び高さ（Ｈ３）の正方形で複数配置された状態を示している。
【００４７】
ここでいう「複数配置」には、背景部（３０）に配置される背景要素（３１）と同様に「一定のピッチで配置された状態」と「一様に配置された状態」が存在する。「一定のピッチで配置された状態」の場合、第１の画像要素（１１）が配置される間隔は背景要素（３１）の間隔と同じである。また「一様に配置された状態」の場合、第１の画像部（１０）の単位面積あたりに配置される第１の画像要素（１１）の数が、第１の画像部（１０）に全体にわたってほぼ等しく、かつ、背景部（３０）の単位面積あたりに配置される背景要素の数とほぼ等しく構成される状態のことである。ここでは図７（ａ）に示す「一定のピッチで配置された状態」について説明する。
【００４８】
ここでいう「第２の色」とは、第１の色と異なるすべての色である。第２の色を形成する方法としては、基材（２）をインキ等で着色する方法がある。また、インキを用いることなく、画像構成要素（１２）の範囲を白抜きとすることによって基材（２）の色を第２の色として使用しても良い。
【００４９】
前述のように、第１の画像要素（１１）は、画像構成要素（１２）を第１のカモフラージュ要素（１３）が囲んで隣接する構成であるため、第１のカモフラージュ要素（１３）の外周が第１の画像要素（１１）の周囲長となる。そして、本発明において、第１の画像部（１０）に複数配置される第１のカモフラージュ要素（１３）の周囲長は、すべて背景要素（３１）の周囲長と等しく形成される。また、背景部（３０）と同様に、第１の画像要素（１１）もまた、周囲長が等しければ異なる形状であっても同じ第１の画像部（１０）に配置して良い。
【００５０】
画像構成要素（１２）と第１のカモフラージュ要素（１３）の位置関係は、図８（ａ）に示すように、各画像要素（４）の幅と高さの中心の位置が同じ状態の構成であっても良いし、図８（ｂ）に示すように、各画像要素（４）の幅と高さのうちの、一方の中心の位置がずれた状態の構成であっても良いし、図８（ｃ）に示すように、各画像要素（４）の幅と高さの両方の中心の位置がずれた状態の構成であっても良い。また、図８に示す配置の例、画像構成要素（１２）が、第１のカモフラージュ要素（１３）に囲まれた配置であれば良い。
【００５１】
背景部（３０）と同様に、第１の画像要素（１１）は肉眼で確認可能な大きさで形成する。各種証券など画像形成体を手に持って観察する場合、第１の画像要素（１１）の幅（Ｗ２）及び高さ（Ｈ２）は背景要素（３１）の幅（Ｗ１）及び高さ（Ｈ１）の範囲と同様であり、画像構成要素（１２）の幅（Ｗ３）及び高さ（Ｈ３）は、背景要素（３１）の幅（Ｗ１）及び高さ（Ｈ１）の２０％程度で形成する必要がある。なお、画像構成要素（１２）の幅（Ｗ３）及び高さ（Ｈ３）を、背景要素（３１）の幅（Ｗ１）及び高さ（Ｈ１）の２０％程度で形成する理由については後述する。
【００５２】
背景要素（３０）及び第１の画像要素（１１）を配置するピッチ（Ｐ１、Ｐ２）は、特に限定されるものではないが、好ましくは、以下の（数４）から（数７）の式に示す条件で背景要素（３０）と第１の画像要素（２１）を配置するのが良い。なお、この理由についは後述する。
【００５３】
（数４）
背景要素の幅（Ｗ１）＋画像構成要素の幅（Ｗ３）＜ピッチ（Ｐ１）
【００５４】
（数５）
第１の画像要素の幅（Ｗ２）＋画像構成要素の幅（Ｗ３）＜ピッチ（Ｐ１）
【００５５】
（数６）
背景要素の高さ（Ｈ１）＋画像構成要素の高さ（Ｈ３）＜ピッチ（Ｐ２）
【００５６】
（数７）
第１の画像要素の高さ（Ｈ２）＋画像構成要素の高さ（Ｈ３）＜ピッチ（Ｐ２）
【００５７】
（第２の画像部）
図９は、第２の画像部（２０）の構成を示す図である。図９の拡大図に示すように、第２の画像部（２０）は、背景要素（３１）及び第１の画像要素（１１）と比較して周囲長が異なり、第１の色を有する第２の画像要素（２１）が複数配置されて成る。なお、図９では、画素の例として第２の画像要素（２１）が幅（Ｗ４）及び高さ（Ｈ４）の正方形で複数配置された状態を示している。
【００５８】
ここでいう「複数配置」には、背景部（３０）に配置される背景要素（３１）と同様に「一定のピッチで配置された状態」と「一様に配置された状態」が存在する。「一定のピッチで配置された状態」の場合、第２の画像要素（２１）が配置される間隔は背景要素（３１）の間隔と同じである。また「一様に配置された状態」の場合、第２の画像部（２０）の単位面積あたりに配置される第２の画像要素（２１）の数が、第２の画像部（２０）に全体にわたってほぼ等しく、かつ、背景部（３０）の単位面積あたりに配置される背景要素の数とほぼ等しく構成される状態のことである。ここでは図９に示す「一定のピッチで配置された状態」について説明する。
【００５９】
幅（Ｗ４）及び高さ（Ｈ４）の第２の画像要素（２１）の周囲長は、幅（Ｗ１）及び高さ（Ｈ１）の背景要素（３１）と比較して大きくても良いし、小さくても良い。本実施の形態においては、第２の画像要素（２１）の周囲長が背景要素（３１）よりも大きい場合について説明する。
【００６０】
本発明において、第２の画像部（２０）に複数配置される第２の画像要素（２１）は、すべて周囲長が等しい。また、背景部（３０）と同様に、第２の画像要素（２１）もまた、周囲長が等しければ異なる形状であっても同じ第２の画像部（２０）に配置して良い。
【００６１】
背景部（３０）と同様に、第２の画像要素（２１）は肉眼で確認可能な大きさで形成する。各種証券など画像形成体を手に持って観察する場合、第２の画像要素（２１）の幅（Ｗ４）及び高さ（Ｈ４）は背景要素（３０）の幅（Ｗ１）及び高さ（Ｈ１）に対して９０％程度から１１０％程度の範囲で形成する必要がある。なお、第２の画像要素（２２）の幅（Ｗ４）及び高さ（Ｈ４）を、背景要素（３１）の幅（Ｗ１）及び高さ（Ｈ１）の９０％から１１０％程度で形成する理由については後述する。
【００６２】
第２の画像要素（２１）を配置するピッチ（Ｐ１、Ｐ２）についても、特に限定されるものではないが、好ましくは、以下の（数８）及び（数９）の式に示す条件で第２の画像要素（２１）を配置するのが良い。なお、この理由についは後述する。
【００６３】
（数８）
第２の画像要素の幅（Ｗ４）＋画像構成要素の幅（Ｗ３）＜ピッチ（Ｐ１）
【００６４】
（数９）
第２の画像要素の高さ（Ｈ４）＋画像構成要素の高さ（Ｈ３）＜ピッチ（Ｐ２）
【００６５】
（効果、原理）
続いて、第１の実施の形態において観察距離によって画像が変化する原理について、図１０及び図１１を用いて説明する。
【００６６】
本発明の近距離で視認される画像は、「明るさの対比」と呼ばれる原理を用いている。これは、ある領域がそれよりも暗い領域に囲まれると、その領域はより明るく見え、逆にそれより明るい領域に囲まれると、その領域はより暗く見える現象である。これと同様にして、ある色で形成された領域が、それとは異なる色の領域で囲まれたとき、囲まれた領域の色が目立って見える。この原理を、本発明の構成に置き換えると、各画像要素（４）は、基材（２）の色で囲まれているため、各画像要素（４）の色が目立って見える。このとき、面積の大きい第１の色がまず強調されて見える。また、第１の画像要素（１１）において、第２の色を有する画像構成要素（１２）は、第１の色を有する第１のカモフラージュ要素（１３）に囲まれているため、第２の色もまた、強調されて見える。この原理によって近距離で視認される画像について説明する。
【００６７】
図１０（ａ）は画像領域（３）を近距離で観察したときに、背景部（３０）、第１の画像部（１０）及び第２の画像部（２０）が肉眼でどのように見えるかを示す図である。図１０（ａ）の拡大図に示すように、基材（２）に対して背景要素（３１）、画像構成要素（１２）、第１のカモフラージュ要素（１３）及び第２の画像要素（２１）は肉眼で明確に識別できる。画像領域（３）中に画像要素（４）が複数配置されている場合、肉眼には基材（２）の色に対して、まず、基材（２）に形成された面積の大きい第１の色を認識し、次に第２の色を認識する。
【００６８】
近距離で観察した場合の画像領域（３）では、明るさの対比の原理によって各画像要素が有する第１の色と基材（２）の色の差が強調される。第２の画像要素（２１）の幅（Ｗ４）及び高さ（Ｈ４）が、背景要素（３１）及び第１の画像要素（１１）の幅及び高さの９０％以上１１０％以下の範囲で周囲長が異なる場合、背景要素（３１）及び第１の画像要素（１１）に対する第２の画像要素（２１）の周囲長の差、すなわち、大きさの差は、各画像要素が有する第１の色と基材（２）の色の差以上には目立たない。大きさの差が、各画像要素が有する第１の色と基材（２）の色の差に対して目立たない中で、第１の画像要素（１１）が有する画像構成要素（１２）は、背景要素（３１）を構成する第１の色と異なる第２の色で構成されているため、背景要素（３１）及び第２の画像要素（２１）との色の差が強調して認識される。なお、各画像要素（４）が有する第１の色と基材（２）の色の差が強調されるために、基材（２）の色と第１の色が有彩色の場合、基材（２）の色と第１の色は、Ｌ＊ａ＊ｂ＊表色系で６０度以上異なることが好ましく、基材（２）の色と第１の色が無彩色の場合、基材（２）の色と第１の色のそれぞれを白色と黒色にすることが好ましい。
【００６９】
図１０（ｂ）は図１０（ａ）の結果として肉眼が認識する画像を示す図である。図１０（ｂ）に示すように、近距離で観察した場合の画像領域（３）では、背景要素（３１）及び第２の画像要素（２１）の第１の色に対して、第１の画像要素（１１）が有する画像構成要素（１２）の色の差が強調され、第１の画像要素（１１）が複数配置されて成る第１の画像部（１０）が画像として認識される。これに対して、背景要素（３１）と第２の画像要素（２１）の大きさの差は、各画像要素が有する第１の色と基材（２）の色の差に対して目立たないため、第２の画像部（２０）は背景部（３０）とともに背景として認識される。なお、近距離で画像構成要素（１２）の色の差が強調されるために、第１の色と第２の色が有彩色の場合、第１の色と第２の色は、Ｌ＊ａ＊ｂ＊表色系で６０度以上異なることが好ましく、より好ましくは、補色関係とするのが良い。また、第１の色と第２の色が無彩色の場合は、第１の色と第２の色のそれぞれを白色と黒色にすることが好ましい。
【００７０】
続いて、遠距離で観察したときに画像が変化する原理について説明する。本発明の原理の中で、遠距離で認識される画像は次に説明する原理を用いている。
【００７１】
肉眼での画像の識別の度合いは肉眼の分解能及び対象物との距離によって変化し、個人差はあるものの一定の限度が存在する。対象物を観察するとき、対象物との距離が増加していくと肉眼での対象物の見掛け上の大きさは縮小していき、最終的には肉眼で識別不可能な大きさとなる。本発明において、一定のピッチで複数配置された画像要素（４）の場合、対象物との距離が増加していくと肉眼での画像要素（４）と基材（２）の境目はあいまいになり、識別が困難になっていく。また、画像構成要素（１２）は見掛け上の大きさが肉眼の分解能より小さくなると同時に、第１のカモフラージュ要素（１３）との境目がぼやけるために肉眼での識別が難しくなる。
【００７２】
図１１（ａ）は遠距離で観察した時に背景部（３０）、第１の画像部（１０）及び第２の画像部（２０）が肉眼でどのように見えるかを示す図である。図１１（ａ）の背景部（３０）の拡大図に示すように、背景要素（３１）と基材（２）の境目は肉眼でぼやけて識別される。また、図１１（ａ）の第１の画像部（１０）の拡大図に示すように、画像構成要素（１２）と第１のカモフラージュ要素（１３）の境目及び第１のカモフラージュ要素（１３）と基材（２）の境目は肉眼でぼやけて識別される。また、図１１（ａ）の第２の画像部（２０）の拡大図に示すように、第２の画像要素（２１）と基材（２）の境目は肉眼でぼやけて識別される。
【００７３】
第１の画像要素（１１）と背景要素（３１）が同じ周囲長であることから、画像構成要素（１２）が肉眼でぼやけて識別される結果、第１の画像要素（１１）は背景要素（３１）との違いが目立たなくなる。したがって第１の画像要素（１１）は背景要素（３１）と同じように肉眼で識別される。近距離で識別可能な画像を構成していた画像構成要素（１２）が遠距離で目立たなくなる中で、遠距離で観察した場合の第２の画像部（２０）では、第２の画像要素（２１）と背景要素（３１）の間の周囲長の差すなわち面積の差が、色の濃淡の差として認識される。
【００７４】
図１１（ｂ）は図１１（ａ）の結果として肉眼が認識する画像を示す図である。図１１（ｂ）に示すように、遠距離で観察した場合の画像領域（３）では第２の画像要素（２１）と背景要素（３１）との大きさの差が画像として認識される。これに対して、画像構成要素（１２）が目立たない第１の画像要素（１１）は背景要素（３１）との違いが目立たないため、第１の画像部（１０）は背景部（３０）とともに背景として認識される。
【００７５】
以上の原理によって、本発明における画像形成体（１）は肉眼で容易に観察可能であり、近距離で観察したときと遠距離で観察したときで視認可能な画像が完全に切り替わる。なお、透かしで画像要素（４）を形成した場合には、透過光で近距離と遠距離で観察したときに視認可能な画像が切り替わる効果がある。また、基材（２）が光透過性を有する場合には、印刷によって画像要素（４）を形成した場合にも、透過光の観察で同じ効果がある。
【００７６】
本発明を実施するにあたり、各種証券など画像形成体を手に持って観察する場合は腕の曲げ伸ばしの範囲で観察距離が変化する。前述のように、背景要素（３１）同士、第１の画像要素（１１）同士、第２の画像要素（２１）同士を配置するピッチ（Ｐ１、Ｐ２）を、各画像要素の幅（Ｗ１、Ｗ２、Ｗ３）及び高さ（Ｈ１、Ｈ２、Ｈ３）と画像構成要素（１２）の幅（Ｗ３）及び高さ（Ｈ１）の和より大きくするのが好ましい理由は、腕を曲げた状態（近距離）から腕を伸ばした状態（遠距離）に移動させて観察する際に、はじめに、画像構成要素（１２）の識別ができなくなって、その段階で、第２の画像部（２０）による画像を出現させるためである。これとは逆に、各画像要素（４）を配置するピッチ（Ｐ１、Ｐ２）が、各画像要素の幅（Ｗ１、Ｗ２、Ｗ３）及び高さ（Ｈ１、Ｈ２、Ｈ３）と画像構成要素（１２）の幅（Ｗ３）及び高さ（Ｈ１）の和より小さくても、視認できる画像が変化する効果はあるが、この場合、近距離から遠距離に画像形成体（１）を離していくときに、初めに、画像要素（４）同士の識別ができなくなるが、その段階では、画像構成要素（１２）が識別できるので、画像が変化しない。そして、その段階から更に画像形成体（１）を離して画像構成要素（１２）が識別できなくなった段階で第２の画像（２０Ｓ）が出現して視認できる画像が変化する。すなわち、画像が変化するために画像形成体（１）を移動させる距離が大きくなるため好ましくない。このことから、図５（ｂ）に示すように、背景要素（３１）が一様に配置される場合においては、背景要素（３１）同士の間隔の最小値（Ｄｍｉｎ）が、画像構成要素の幅（Ｗ３）及び高さ（Ｈ１）よりも大きく配置することで、第１の画像（１０Ｓ）と第２の画像（２０Ｓ）を観察するために画像形成体（１）を移動させる距離を短くすることができる。
【００７７】
また、第２の画像要素（２１）の幅（Ｗ４）及び高さ（Ｈ４）を、背景要素（３１）の幅（Ｗ１）及び（Ｈ１）の９０％から１１０％とする理由は、近距離で観察したときに、第２の画像部（２０）による画像を視認させないためであり、この範囲を超えると、近距離で第２の画像部（２０）による画像が視認されてしまうため好ましくない。
【００７８】
また、画像構成要素（１２）の幅（Ｗ３）及び高さ（Ｈ３）を背景要素（３０）の幅（Ｗ１）及び高さ（Ｈ１）の２０％とする理由は  近距離で観察したときに、画像構成要素（１２）によって第１の画像部（１０）による画像を視認させるために必要な大きさであり、かつ、遠距離で観察したときに、第１のカモフラ−ジュ要素（１３）との識別が困難になるための大きさである。
【００７９】
各種証券など画像形成体を手に持って観察する場合、各画像要素は前述した大きさの配位で形成されるが、原理で説明した内容は製品の形態に応じて応用が可能である。ポスターや看板等のように、製品の形態が大きい場合、本発明の実施の形態の原理に基づき、各画像要素の大きさを適宜調整すれば良い。
【００８０】
続いて、画像形成体（１）が画線で形成される場合について図１２から図１４を用いて説明する。
【００８１】
図１２は背景部（３０）の構成を示す図である。図１２の拡大図に示すように、背景部（３０）は基材（２）とは異なる第１の色の背景要素（３１）が一定のピッチ（Ｐ３）で万線状に複数配置されて成る。なお、本発明において画線長さ（Ｌ１）は長辺方向の寸法、画線幅（ｈ１）は短辺方向の寸法を指す。また、本発明において万線状とは、図１２の拡大図に示すように、画線が同じ方向に一定のピッチで複数配置された状態のことを指す。
【００８２】
画素の場合と同様に、背景要素（３１）は肉眼で確認可能な画線幅（ｈ１）で形成する。各種証券など、画像形成体を手に持って観察する場合、背景要素（３１）の画線幅（ｈ１）は下限が０．５ｍｍ程度、上限が５ｍｍ程度で形成するのが好ましい。この理由については、背景要素（３１）が画素で構成される場合と同様であり、下限については、肉眼で確認可能な大きさであり、上限については、解像度の良い画像を形成するための大きさである。
【００８３】
図１３は第１の画像部（１０）の構成を示す図である。図１３の拡大図に示すように、第１の画像部（１０）は第１の色と異なる第２の色を有する画像構成要素（１２）と、画像構成要素（１２）を囲んで隣接し、第１の色を有する第１のカモフラージュ要素（１３）から成る第１の画像要素（１１）が、背景要素（３１）と同じピッチ（Ｐ３）で万線状に複数配置されて成る。
【００８４】
画像要素（４）が画線で構成される場合においても、第１の画像要素（１１）と背景要素（３１）は周囲長が等しく形成される。本発明でいう第１の画像要素（１１）と背景要素（３１）が画線で構成される場合の「周囲長が等しい」とは、第１の画像要素（１１）と背景要素（３１）を同じ単位長さ当たりで比較した場合に周囲長が等しいことである。このとき、第１の画像要素（１１）の画線幅（ｈ２）と背景要素（３１）の画線幅（ｈ１）は等しくなる。
【００８５】
各種証券など、画像形成体を手に持って観察する場合、画像構成要素（１２）の画線幅（ｈ３）は、背景要素（３１）の画線幅（ｈ１）の５〜１０％程度で形成するのが好ましい。この理由は、近距離で観察したときに、画像構成要素（１２）によって第１の画像部（１０）による画像を視認させるために必要な大きさであり、かつ、遠距離で観察したときに、第１のカモフラ−ジュ要素（１３）との識別が困難になるための大きさである。
【００８６】
画素の構成で説明したのと同様に、近距離から遠距離に離していくときに、はじめに、画像構成要素（１２）が識別できなくなることが好ましい。そのための画線で構成される背景要素（３０）及び第１の画像要素（１１）を配置するピッチ（Ｐ３）の条件は以下の（数１０）の式に示すとおりである。
【００８７】
（数１０）
背景要素の画線幅（ｈ１）＋画像構成要素の画線幅（ｈ３）＜ピッチ（Ｐ３）
第１の画像要素の画線幅（ｈ２）＋画像構成要素の画線幅（ｈ３）＜ピッチ（Ｐ３）
【００８８】
図１４は、第２の画像部（２０）の構成を示す図である。図１４の拡大図に示すように、第２の画像部（２０）は第１の色を有する第２の画像要素（２１）が背景要素（３１）と同じピッチ（Ｐ３）で万線状に複数配置されて成る。
【００８９】
画像要素（４）が画線で構成される場合においても、第２の画像要素（２１）と背景要素（３１）は周囲長が異なる。本発明でいう第２の画像要素（２１）と背景要素（３１）が画線で構成される場合の「周囲長が異なる」とは、第２の画像要素（２１）と背景要素（３１）を同じ単位長さ当たりで比較した場合に周囲長が異なることである。このとき、第２の画像要素（２１）の画線幅（ｈ４）と背景要素（３１）の画線幅（ｈ１）は異なる。
【００９０】
第２の画像要素（２１）の周囲長は背景要素（３１）と比較して大きくても良いし、小さくても良いが、近距離で観察したときに第２の画像部（２０）による画像が視認されないために、第２の画像要素（２１）の画線幅（ｈ４）は、背景要素（３１）の幅（ｈ１）に対して９０％以上１１０％以下の範囲で形成するのが好ましい。
【００９１】
画素の構成で説明したのと同様に、近距離から遠距離に離していくときに、はじめに、画像構成要素（１２）が識別できなくなることが好ましい。そのための画線で構成される第２の画像要素（２１）を配置するピッチ（Ｐ３）の条件は以下の（数１１）の式に示すとおりである。
【００９２】
（数１１）
第２の画像要素の画線幅（ｈ４）＋画像構成要素の画線幅（ｈ３）＜ピッチ（Ｐ３  ）
【００９３】
本発明において、画線で形成した画像形成体（１）のもたらす効果と原理については、画素の構成と同様であるため説明を省略する。第１の実施の形態の画像形成体（１）において、画像要素（４）が画素のみで構成される場合と、画像要素（４）が画線のみで構成される場合について説明したが、以上に説明した原理によって、近距離と遠距離で視認できる画像が変化する効果が生じれば、画線と画素を組み合わせたり、画線と画素の両方用いて各画像部を形成しても良い。
【００９４】
（第２の実施の形態）
図１５は、第２の実施の形態における画像形成体（１）を示す図である。第２の実施の形態は、第１の実施の形態に対して、第１の画像部（１０）内に第２の画像部（２０）の一部と共通する共通画像部（４０）を備える構成となっている。
【００９５】
第２の実施の形態の各部位の詳細を図１６（ａ）〜（ｄ）により説明する。本実施の形態では、第１の画像部（１０）を図１６（ａ）に示す「ｎｅａｒ」の文字、第２の画像部（２０）を図１６（ｂ）に示す「ｆａｒ」の文字として説明し、共通画像部（４０）を図１６（ｃ）に示す「ｎｅａｒ」と「ｆａｒ」の一部が重複した部分として説明するが、本発明において第１の画像部（１０）、第２の画像部（２０）及び共通画像部（４０）の形状は、他の記号、文字、図形等であっても良い。図１６（ｄ）は第１の画像部（１０）、第２の画像部（２０）及び共通画像部（４０）の背景となる背景部（３０）を示す図である。
【００９６】
本発明において、共通画像部（４０）とは、第１の画像部（１０）と第２の画像部（２０）の一部が重複する領域であって、第１の画像部（１０）と第２の画像部（２０）に共通する画像要素（４）が配置される領域である。以下、本発明の第２の実施の形態における画像形成体（１）の詳細について説明するが、共通画像部（４０）以外の各画像部の構成は、第１の実施の形態と同じであるため説明を省略する。はじめに画素の形態について説明する。
【００９７】
（共通画像部）
図１７は、共通画像部（４０）の構成を示す図である。図１７の拡大図に示すように、共通画像部（４０）は、第１の色と異なる第２の色を有する画像構成要素（１２）と、画像構成要素（１２）を囲んで隣接し、第１の色を有する第２のカモフラージュ要素（４３）から成る第３の画像要素（４１）が数配置されて成る。なお、図１７では画素の例として第３の画像要素（４１）が幅（Ｗ５）及び高さ（Ｈ５）の正方形で複数配置された状態を示している。
【００９８】
ここでいう「複数配置」には、背景部（３０）に配置される背景要素（３１）と同様に「一定のピッチで配置された状態」と「一様に配置された状態」が存在する。図１７では「一定のピッチで配置された状態」について説明する。
【００９９】
画像構成要素（１２）と第２のカモフラージュ要素（４３）の位置関係は、第１の画像要素（１１）を構成する画像構成要素（１２）と第１のカモフラージュ要素（１３）の位置関係と同様に、各画像要素（４）の幅と高さの中心の位置が同じでも良いし、ずれた状態でも良い。
【０１００】
前述のように、第３の画像要素（４１）は、画像構成要素（１２）を第２のカモフラージュ要素（４３）が囲んで隣接する構成であるため、第２のカモフラージュ要素（４３）の外周が第３の画像要素（４１）の周囲長となる。そして、本発明において、共通画像部（４０）に複数配置される第２のカモフラージュ要素（４３）の周囲長は、すべて第２の画像要素（２１）の周囲長と等しく形成される。仮に、背景要素（３１）の周囲長に対して第２の画像要素（２１）の周囲長が小さい場合は、背景要素（３１）の周囲長に対して第３の画像要素（４１）の周囲長も小さく、背景要素（３１）の周囲長に対して第２の画像要素（２１）の周囲長が大きい場合は、背景要素（３１）の周囲長に対して第３の画像要素（４１）の周囲長も大きい。ここでは、第２の画像要素（２１）及び第３の画像要素（４１）の周囲長が背景要素（３１）に対して大きい場合について説明する。
【０１０１】
本発明において、共通画像部（４０）に複数配置される第３の画像要素（４１）はすべて周囲長が等しい。また、背景部（３０）と同様に第３の画像要素（４１）もまた、周囲長が等しければ異なる形状であっても同じ共通画像部（４０）に配置して良い。
【０１０２】
背景部（３０）と同様に、第３の画像要素（４１）は肉眼で確認可能な大きさで形成する。各種証券など、画像形成体（１）を手に持って観察する場合、第３の画像要素（４１）の幅（Ｗ５）及び高さ（Ｈ５）は第２の画像要素（２１）の幅（Ｗ４）及び高さ（Ｈ４）と同じ大きさの範囲とする。
【０１０３】
第１の実施の形態と同様に、近距離から遠距離に離していくときに、はじめに、画像構成要素（１２）が識別できなくなることが好ましい。そのための第３の画像要素（４１）を配置するピッチ（Ｐ１、Ｐ２）の条件は以下の（数１２）に示すとおりである。
【０１０４】
（数１２）
第３の画像要素の幅（Ｗ５）＋画像構成要素の幅（Ｗ３）＜ピッチ（Ｐ１）
第３の画像要素の高さ（Ｈ５）＋画像構成要素の高さ（Ｈ３）＜ピッチ（Ｐ２）
【０１０５】
第２の実施の形態における共通画像部（４０）の効果について、図１８及び図１９を用いて説明する。なお、背景部（３０）、第１の画像部（１０）及び第２の画像部（２０）の効果については第１の実施の形態と同様であるので説明を省略する。
【０１０６】
図１８は、画像領域（３）を近距離で観察した状態を示す図であり、図１８（ａ）は、共通画像部（４０）が肉眼でどのように見えるかを示している。図１８（ａ）の共通画像部（４０）の拡大図に示すように、基材（２）に対して画像構成要素（１２）及び第２のカモフラージュ要素（４３）は肉眼で明確に識別できる。
【０１０７】
近距離で観察した場合の画像領域（３）では、明るさの対比によって各画像要素と基材（２）の明暗の差がより強調される。第３の画像要素（４１）が第２の画像要素（２１）と同じ大きさの範囲で形成している場合、各画像要素と基材（２）の明暗の差がより強調して認識されるために、第３の画像要素（４１）が有する周囲長の差、すなわち、大きさの差は、第２の画像要素（２１）と同様に各画像要素と基材（２）との明暗の差に対して目立たない。大きさの差が明るさの差に対して目立たない中で、第３の画像要素（４１）を構成する画像構成要素（１２）は、背景要素（３１）を構成する第１の色と異なる第２の色で構成しているため、背景要素（３１）及び第２の画像要素（２１）との明暗の差がより強調して認識される。
【０１０８】
図１８（ｂ）は、図１８（ａ）の結果として肉眼が認識する画像を示す図である。図１８（ｂ）に示すように、近距離で観察した場合の画像領域（３）では、第１の画像要素（１１）が有する画像構成要素（１２）及び第３の画像要素（４１）が有する画像構成要素（１２）が背景要素（３１）及び第２の画像要素（２１）に対して明暗の差がより強調されるため、第１の画像部（１０）及び共通画像部（４０）が現す第１の画像（１０Ｔ）が認識される。
【０１０９】
図１９は、画像領域（３）を遠距離で観察した状態を示す図であり、図１９（ａ）は、共通画像部（４０）が肉眼でどのように見えるかを示している。図１９（ａ）の共通画像部（４０）の拡大図に示すように、画像構成要素（１２）と第２のカモフラージュ要素（４３）の境目及び第２のカモフラージュ要素（４３）と基材（２）の境目は肉眼でぼやけて識別される。
【０１１０】
第２のカモフラージュ要素（４３）に囲まれた画像構成要素（１２）もまた、第１の画像要素（１１）と同様に、見掛け上の大きさが肉眼の分解能より小さくなると同時に、第２のカモフラージュ要素（４３）との境目がぼやけるために肉眼での識別が難しくなる。画像構成要素（１２）が目立たない中で、遠距離で観察した場合の共通画像部（４０）では、背景要素（３１）に対する第３の画像要素（４１）の周囲長の差、すなわち、面積の差が色の濃淡の差として認識される。
【０１１１】
図１９（ｂ）は、図１９（ａ）の結果として肉眼が認識する画像を示す図である。図１９（ｂ）に示すように、遠距離で観察した場合の画像領域（３）では、背景要素（３１）及び第１の画像要素（１１）に対する第２の画像要素（２１）及び第３の画像要素（４１）の面積の差が色の濃淡の差として認識される結果、第２の画像部（２０）及び共通画像部（４０）が現す第２の画像（２０Ｔ）が認識される。
【０１１２】
以上の原理によって、第１の画像部（１０）と第２の画像部（２０）の一部が同じ範囲で重複する場合でも、近距離で観察したときに識別可能な画像と遠距離で観察したときに識別可能な画像が完全に切り替わるのが、第２の実施の形態がもたらす効果である。
【０１１３】
続いて、共通画像部（４０）が画線で形成される場合について図２０を用いて説明する。
【０１１４】
図２０は、共通画像部（４０）の構成を示す図である。図２０の拡大図に示すように、共通画像部（４０）は、第１の色と異なる第２の色を有する画像構成要素（１２）と、画像構成要素（１２）を囲んで隣接し、第１の色を有する第２のカモフラージュ要素（４３）から成る第３の画像要素（４１）が背景要素（３１）と同様のピッチ（Ｐ３）で万線状に複数配置されて成る。
【０１１５】
第３の画像要素（４１）の周囲長は第２の画像要素（２１）の周囲長と同じである。このとき、第３の画像要素（４１）の画線幅（ｈ５）は、画線で構成される第２の画像要素（２１）の画線幅（ｈ４）と同じである。
【０１１６】
第３の画像要素（４１）の周囲長は、第２の画像要素（２１）と同様に背景要素（３１）と比較して大きくても良いし、小さくても良い。
【０１１７】
共通画像部（４０）画線で構成した画像形成体（１）がもたらす効果と原理については、画素の構成と同様であるため説明を省略する。第２の実施の形態の画像形成体（１）においても、画像要素（４）が画素のみで構成される場合と、画像要素（４）が画線のみで構成される場合について説明したが、以上に説明した原理によって、近距離と遠距離で視認できる画像が変化する効果が生じれば、画線と画素を組み合わせたり、画線と画素の両方用いて各画像部を形成しても良い。
【０１１８】
（第３の実施の形態）
第３の実施の形態は、第１の実施の形態及び第２の実施の形態の画像形成体（１）に対して、画像要素（４）の間に、基材（２）と異なる第１の色を有する補助要素（５１）が配置される構成である。補助要素（５１）は、近距離で視認できる第１の画像部（１０）又は遠距離で視認できる第２の画像部（２０）の視認性を向上させるためのものである。はじめに、第１の実施の形態で説明した画像形成体（１）に補助要素（５１）が配置される構成について説明する。
【０１１９】
近距離で観察可能な画像を強調する場合、第１の画像部（１０）又は背景部（３０）に補助要素（５１）を配置する。はじめに、第１の画像部（１０）に補助要素（５１）を配置する構成について図２１を用いて説明する。
【０１２０】
図２１は、第１の画像部（１０）に補助要素（５１）が配置された構成を示す図である。なお、図２１では、補助要素（５１）が画素の例であり、幅（Ｗ７）及び高さ（Ｈ７）の正方形の補助要素（５１）が複数配置された状態を示している。
【０１２１】
ここでいう「複数配置」には、図２１（ａ）に示す「一定のピッチで配置された状態」と、図２１（ｂ）に示す「ランダムに配置された状態」が存在するが、いずれの場合も、補助要素（５１）は、第１の画像要素（１１）と重なることなく配置される。ここでは図２１（ａ）に示す「一定のピッチで配置された状態」について説明する。
【０１２２】
図２１（ａ）の拡大図に示すように、補助要素（５１）は２つの異なる方向に一定のピッチ（Ｐ４）及び（Ｐ５）で配置される。このとき、第１の画像要素（１１）が配置される二つの方向と、補助要素（３１）が配置される二つの方向は同じ方向である。なお、補助要素（５１）が一定のピッチで配置される場合において、補助要素（５１）のピッチ（Ｐ４）及び（Ｐ５）は、第１の画像要素（１１）のピッチ（Ｐ１）及び（Ｐ５）と同じでも良いし、異なっても良いが、ここでは、第１の画像要素（１１）と補助要素（５１）が同じピッチで配置される構成について説明する。
【０１２３】
図２１（ａ）に示すように、補助要素（５１）は第１の画像要素（１１）と重ならない箇所に配置される。このとき、複数配置される補助要素（５１）と第１の画像要素（１１）において、補助要素（５１）と第１の画像要素（１１）の間隙（Ｄ）の最小値（Ｄｍｉｎ）は画像構成要素（１２）の幅（Ｗ３）及び高さ（Ｈ３）より大きいことが好ましい。この理由は、画像形成体（１）を近距離から遠距離に離していくときに、はじめに、画像構成要素（１２）の識別ができなくなって、その段階で、第２の画像部（２０）による画像を出現させるためである。すなわち、画像が変化するために画像形成体（１）を移動させる距離が大きくならないからである。この関係は図２１（ｂ）においても同様である。
【０１２４】
本発明において、第１の画像部（１０）に複数配置される補助要素（５１）はすべて周囲長が等しい。また、背景部（３０）と同様に、補助要素（５１）もまた、周囲長が等しければ異なる形状であっても同じ第１の画像部（１０）に配置して良い。
【０１２５】
背景部（３０）と同様に、補助要素（５１）は肉眼で確認可能な大きさで形成される。各種証券など、画像形成体を手に持って観察する場合は、補助要素（５１）の幅（Ｗ７）及び高さ（Ｈ７）は背景要素（３１）の幅（Ｗ１）及び高さ（Ｈ１）に対して２０％以内で形成するのが好ましい。この理由は、補助要素（５１）の大きさが、背景要素（３１）の幅（Ｗ１）及び高さ（Ｈ１）に対して、２０％より大きいと、遠距離で観察される画像に影響するためである。
【０１２６】
第３の実施の形態における第１の画像部（１０）に補助要素（５１）が配置された画像形成体（１）の効果について説明する。第１の画像部（１０）に補助要素（５１）が配置された画像形成体（１）を近距離で観察した場合、第１の色の第１のカモフラージュ要素（１３）と第２の色の画像構成要素（１２）の色の差に加えて、第１の色の補助要素（５１）と第２の色の画像構成要素（１２）の色の差が生じる。すなわち、第１の色と第２の色の差がより強調されることで、画像構成要素（１２）によって視認できる第１の画像部（１０）が現す画像の視認性が向上する。
【０１２７】
図２２は、背景部（３０）に補助要素（５１）が配置された構成を示す図である。なお、図２２では、補助要素（５１）が画素の例であり、幅（Ｗ７）及び高さ（Ｈ７）の正方形の補助要素（５１）が複数配置された状態を示している。背景部（３０）に補助要素（５１）を配置する場合もまた、補助要素（５１）は、背景要素（３１）と重なることなく配置される。補助要素（５１）のその他の構成については、第１の画像部（１０）に配置する場合と同様であるので、説明を省略する。
【０１２８】
第３の実施の形態における背景部（３０）に補助要素（５１）が配置された画像形成体（１）の効果について説明する。背景部（３０）に補助要素（５１）が配置された画像形成体（１）を近距離で観察した場合、第１の色の第１のカモフラージュ要素（１３）と第２の色の画像構成要素（１２）の色の差に加えて、第１の画像部（１０）と背景部（２０）の第１の色で構成された画像要素（４）の面積率の差による濃淡差が生じることで、第１の画像部（１０）の視認性が向上する。
【０１２９】
続いて、遠距離で観察可能な画像を強調する構成について説明する。遠距離で観察可能な画像を強調する場合、第２の画像部（２０）又は背景部（３０）に補助要素（５１）を配置する。ただし、背景要素（３１）と第２の画像要素（２１）の周囲長の大小関係によって、どちらの画像部に補助要素（５１）を配置するかが異なり、第２の画像要素（２１）の周囲長が背景要素（３１）の周囲長より大きい場合、第２の画像部（２０）に補助要素（５１）を配置し、第２の画像要素（２１）の周囲長が背景要素（３１）の周囲長より小さい場合、背景部（３０）に補助要素（５１）を配置する。はじめに、第２の画像部（２０）に補助要素（５１）を配置する構成について図２３を用いて説明する。
【０１３０】
図２３は、第２の画像部（２０）に補助要素（５１）が配置された構成を示す図である。なお、図２３では、補助要素（５１）が画素の例であり、幅（Ｗ７）及び高さ（Ｈ７）の正方形の補助要素（５１）が複数配置された状態を示している。第２の画像部（２０）に補助要素（５１）を配置する場合、補助要素（５１）は、第２の画像要素（２１）と重なることなく配置される。
【０１３１】
第２の画像部（２０）に配置する補助要素（５１）の幅（Ｗ７）及び高さ（Ｈ７）もまた、背景要素（３１）の幅（Ｗ１）及び高さ（Ｈ１）に対して２０％以内で形成するのが好ましいが、この理由は、補助要素（５１）によって強調される第２の画像部（２０）の画像が、近距離で観察される画像に影響しないためである。補助要素（５１）のその他の構成については、第１の画像部（１０）に配置する場合と同様であるので、説明を省略する。
【０１３２】
第３の実施の形態において、図２３に示すように、第２の画像部（２０）に補助要素（５１）が配置された画像形成体（１）の効果について説明する。前述のように、第２の画像要素（２１）の周囲長が背景要素（３１）の周囲長より大きい場合、各画像部に配置される画像要素の面積の差によって、背景部（３０）と第２の画像部（２０）で濃淡差が生じる。このとき、第２の画像部（２０）が濃く視認されるが、この形態においては、第２の画像部（２０）に、更に、補助要素（５１）が形成されることによって、画像要素の面積が増える結果、背景部（３０）との濃淡差が強調されて、第２の画像部（２０）の視認性が向上する。
【０１３３】
続いて、第２の画像要素（２１）の周囲長が背景要素（３１）の周囲長より小さい場合であって、背景部（３０）に補助要素（５１）を配置する構成について説明する。
【０１３４】
図２４は、背景部（３０）に補助要素（５１）が配置された構成を示す図である。なお、図２４では補助要素（５１）が画素の例であり、幅（Ｗ７）及び高さ（Ｈ７）の正方形の補助要素（５１）が複数配置された状態を示している。第２の画像部（２０）に補助要素（５１）を配置する場合、補助要素（５１）は、第２の画像要素（２１）と重なることなく配置される。補助要素（５１）のその他の構成については、第２の画像部（１０）に配置する場合と同様であるので、説明を省略する。
【０１３５】
第３の実施の形態において、図２４に示すように、背景部（３０）に補助要素（５１）が配置された画像形成体（１）の効果について説明する。前述のように、第２の画像要素（２１）の周囲長が背景要素（３１）の周囲長より小さい場合、各画像部に配置される画像要素の面積の差によって、背景部（３０）と第２の画像部（２０）で濃淡差が生じる。このとき、背景部（３０）が濃く視認されるが、この形態においては、背景部（３０）に、更に、補助要素（５１）が形成されることによって、画像要素の面積が増える結果、第２の画像部（２０）との濃淡差が強調されて、第２の画像部（２０）の視認性が向上する。
【０１３６】
ここまで、それぞれの画像部に補助要素（５１）が配置された構成について説明した。
つづいて、近距離で観察可能な画像と遠距離で観察可能な画像の両方を強調する場合の補助要素（５１）の配置について説明する。
【０１３７】
近距離で観察可能な画像と遠距離で観察可能な画像の両方を強調する場合、第２の画像要素（２１）と背景要素（３１）の周囲長の関係によって、第１の画像部（１０）、第２の画像部（２０）及び背景部（３０）のうちの、どの画像部に補助要素（５１）を配置するかが異なる。仮に、第２の画像要素（２１）の周囲長が背景要素（３１）の周囲長が大きい場合、前述のように、第２の画像部（２０）に補助要素（５１）を配置することから、残りの第１の画像部（１０）を強調するために第１の画像部（１０）に補助要素（５１）を配置する。また、第２の画像要素（２１）の周囲長が背景要素（３１）の周囲長が小さい場合、前述のように、背景部（３０）に補助要素（５１）を配置することから、これによって、同時に第１の画像部（１０）も強調される。
【０１３８】
ここまで、第１の実施の形態で説明した画像形成体（１）に補助要素（５１）が配置された構成について説明した。続いて、第２の実施の形態で説明した画像形成体（１）に補助要素（５１）が配置される構成について説明する。
【０１３９】
第２の実施の形態で説明した画像形成体（１）において補助要素（５１）を配置する場合、背景要素（３１）と第２の画像要素（２１）の周囲長の大小関係によって、第１の画像部（１０）、第２の画像部（２０）及び背景部（３０）のうち、どの画像部に補助要素（５１）を配置するかが異なる。仮に、第２の画像要素（２１）の周囲長が背景要素（３１）の周囲長より大きい場合、第１の画像部（１０）と第２の画像部（２０）に補助要素（５１）を配置する。また、第２の画像要素（２１）の周囲長が背景要素（３１）の周囲長より小さい場合、前述のように、背景部（３０）に補助要素（５１）を配置するが、これに加えて、共通画像部（４０）を除く第１の画像部（１０）又は共通画像部（４０）を除く第２の画像部（２０）のいずれか一方に補助要素（５１）を配置する。共通画像部（４０）を除く第１の画像部（１０）又は共通画像部（４０）を除く第２の画像部（２０）のうちの一方の画像部に補助要素（５１）を配置する理由は、この形態では、第１の画像部（１０）と第２の画像部（２０）の一部が重複しているため、二つの画像部（１０）を同時に強調することができないことからである。仮に、第１の画像部（１０）を強調する場合には、第２の画像部（２０）に補助要素（５１）を配置し、第２の画像部（２０）を強調する場合には、第１の画像部（１０）に補助要素（５１）を配置する。
【０１４０】
続いて、第３の実施の形態において、補助要素（５１）が画線で形成される場合の構成について説明する。なお、画像要素（４）が画線で構成される場合の配置の一例として、補助要素（５１）を背景部（３０）に配置した構成について図２５を用いて説明する。
【０１４１】
図２５は、背景部（３０）に補助要素（５１）が配置された構成を示す図である。図２５の拡大図に示すように、基材（２）とは異なる第１の色の補助要素（５１）が一定のピッチ（Ｐ６）で複数配置されて成る。このときピッチ（Ｐ６）は背景要素（３１）のピッチ（Ｐ３）と同じである。
【０１４２】
各画像要素（４）が画素で構成される場合と同様に、画線で構成される補助要素（５１）と背景要素（３１）の間隙（ｄｍｉｎ）は画像構成要素（１２）の画線幅（Ｈ７）より大きい必要がある。
【０１４３】
本発明において、背景部（３０）に複数配置される補助要素（５１）はすべて画線幅が等しい。
【０１４４】
補助要素（５１）が画素で構成される場合と同様に、画線で構成される補助要素（５１）は肉眼で確認可能な画線幅で形成される。各種証券など、画像形成体を手に持って観察する場合は、補助要素（５１）の画線幅（ｈ７）は背景要素（３１）の画線幅（ｈ１）に対して５％以内で形成するのが好ましい。この理由は、遠距離又は近距離で観察される画像に影響しないためである。第１の画像部（１０）及び第２の画像部（２０）に画線で構成される補助要素（５１）を配置する場合においても、画線幅（ｈ１）が異なる以外の補助要素（５１）の配置の仕方は画素の場合と同様であるので説明を省略する。
【０１４５】
以下、実施例を用いて本発明をさらに具体的に説明するが、本発明を限定するものではない。
【０１４６】
（実施例１）
実施例１は、第１の実施の形態で説明した画像形成体（１）である。基材（２）には、白色のＡ４上質紙を使用し、カラーレーザプリンタ（ＲＩＣＯＨ ＩＰＳｉＯ ＳＰ４２０）を用いて画像領域（３）に画像要素（４）を形成した。実施例１の画像形成体（１）について、図２６を用いて説明する。図２６（ａ）は、実施例１の画像形成体（１）の画像領域（３）を示す図であり、図２６（ｂ）は、画像領域（３）内の背景部（３０）の一部拡大図であり、図２６（ｃ）は、画像領域（３）内の第１の画像部（１０）の一部拡大図であり、図２６（ｄ）は、画像領域（３）内の第２の画像部（２０）の一部拡大図である。
【０１４７】
背景部（３０）の背景要素（３１）は、図２６（ｂ）に示すように、幅（Ｗ１）が１ｍｍ、高さ（Ｈ１）が１ｍｍの正方形の画素であり、ブラックトナーを用いて形成した。なお、背景要素（３１）を配置するピッチ（Ｐ１、Ｐ２）は１．５ｍｍとした。
【０１４８】
第１の画像部（１０）において、画像構成要素（１２）は、図２６（ｃ）に示すように、幅（Ｗ３）が０．２ｍｍ、高さ（Ｈ３）が０．２ｍｍの正方形の画素であり、白抜きの状態で形成した。また、第１のカモフラージュ要素（１３）は、画像構成要素（１２）を囲んで隣接する構成であり、幅（Ｗ２）が１ｍｍ、高さ（Ｈ２）が１ｍｍとし、ブラックトナーを用いて形成した。そして、正方形の第１の画像要素（１１）を形成した。なお、第１の画像要素（１１）を配置するピッチ（Ｐ１、Ｐ２）は１．５ｍｍとした。また、第１の画像部（１０）は、実施の形態で説明したのと同じように「ｎｅａｒ」の文字とした。
【０１４９】
第２の画像部（２０）の第２の画像要素（２１）は、図２６（ｄ）に示すように、幅（Ｗ４）が１．１ｍｍ、高さ（Ｈ４）が１．１ｍｍの正方形の画素であり、ブラックトナーを用いて形成した。なお、第２の画像要素（２１）を配置するピッチ（Ｐ１、Ｐ２）は１．５ｍｍとした。また、第２の画像部（２０）は、実施の形態で説明したのと同じように「ｆａｒ」の文字とした。
【０１５０】
実施例１で形成した画像形成体（１）の画像領域（３）を１０ｃｍ離した距離で観察すると、第１の画像部（１０）が表す「ｎｅａｒ」の文字が視認でき、６０ｃｍ離した距離で観察すると、第２の画像部（２０）が表す「ｆａｒ」の文字が視認できた。
【０１５１】
（実施例２）
実施例２は、第２の実施の形態で説明した画像形成体（１）であり、第１の画像部（１０）と第２の画像部（２０）の一部が重複した共通画像部（４０）を備える。実施例２の画像形成体（１）において、第１の画像部（１０）、第２の画像部（２０）及び背景部（３０）の構成は、実施例１と同じ構成とした。したがって、第１の画像部（１０）、第２の画像部（２０）及び背景部（３０）の説明は省略することとし、実施例１と異なる共通画像部（４０）の構成について図２７を用いて説明する。
【０１５２】
図２７（ａ）は、実施例２の画像形成体（１）の画像領域（３）を示す図であり、図２７（ｂ）は、画像領域（３）内の共通画像部（４０）の一部拡大図である。
【０１５３】
共通画像部（４０）において、画像構成要素（１２）は、図２７（ｂ）に示すように、幅（Ｗ３）が０．２ｍｍ、高さ（Ｈ３）が０．２ｍの正方形の画素であり、白抜きの状態で形成した。第２のカモフラージュ要素（４３）は、画像構成要素（１２）を囲んで隣接する構成であり、幅（Ｗ２）が１．１ｍｍ、高さ（Ｈ２）が１．１ｍｍとし、ブラックトナーを用いて形成した。そして、正方形の第３の画像要素（４１）を形成した。なお、第３の画像要素（１１）を配置するピッチ（Ｐ１、Ｐ２）は１．５ｍｍとした。
【０１５４】
実施例２で形成した画像形成体（１）の画像領域（３）を１０ｃｍ離した距離で観察すると、第１の画像部（１０）が表す「ｎｅａｒ」の文字が視認でき、６０ｃｍ離した距離で観察すると、第２の画像部（２０）が表す「ｆａｒ」の文字が視認できた。また、「ｎｅａｒ」と「ｆａｒ」の文字の一部が重複する実施例２の構成においても、視認できる画像が明瞭に変化することを確認できた。
【０１５５】
（実施例３）
実施例３は、第３の実施の形態で説明した画像形成体であり、実施例１の画像形成体（１）の第１の画像部（１０）と第２の画像部（２０）に補助要素（５１）が形成される構成である。なお、実施例３の第１の画像要素（１１）、第２の画像要素（２１）及び背景要素（３１）の構成は、実施例１と同じ構成とした。実施例３の画像形成体（１）について、図２８を用いて説明する。
【０１５６】
図２８（ａ）は、実施例３の画像形成体（１）の画像領域（３）を示す図であり、図２８（ｂ）は、画像領域（３）内の第１の画像部（１０）の一部拡大図であり、図２８（ｃ）は、画像領域（３）内の第２の画像部（２０）の一部拡大図である。
【０１５７】
第１の画像部（１０）に形成する補助要素（５１）は、図２８（ｂ）に示すように、幅（Ｗ７）が０．１ｍｍ、高さ（Ｈ７）が０．１ｍｍの正方形の画素であり、ブラックトナーを用いて形成した。なお、補助要素（５１）を配置するピッチ（Ｐ４、Ｐ５）は１．５ｍｍとした。このとき、第１の画像要素（１１）と補助要素（５１）の間隙（Ｄ）は０．２ｍｍであり、画像構成要素（１２）の幅（Ｗ３）及び高さ（Ｈ３）より大きい状態となっている。
【０１５８】
第２の画像部（２０）に形成する補助要素（５１）は、図２８（ｃ）に示すように、幅（Ｗ７）が０．１ｍｍ、高さ（Ｈ７）が０．１ｍｍの正方形の画素であり、ブラックトナーを用いて形成した。なお、補助要素（５１）を配置するピッチ（Ｐ４、Ｐ５）は１．５ｍｍとした。このとき、第２の画像要素（２１）と補助要素（５１）の間隙（Ｄ）は０．１５ｍｍであり、画像構成要素（１２）の幅（Ｗ３）及び高さ（Ｈ３）より大きい状態となっている。
【０１５９】
実施例３で形成した画像形成体（１）の画像領域（３）を１０ｃｍ離した距離で観察すると、補助要素（５１）が「ｎｅａｒ」の文字を補完することで、実施例１に対して、第１の画像部（１０）の視認性が向上した。また、６０ｃｍ離した距離で観察した場合においても、補助要素（５１）が配置される第２の画像部（２０）と背景部（３０）と濃淡差が強調されて、第２の画像部（２０）の視認性が向上した。
【符号の説明】
【０１６０】
１  画像形成体
２  基材
３  画像領域
４  画像要素
５  額面
６  記番号
１０  第１の画像部
１１  第１の画像要素
１２  画像構成要素
１３  第１のカモフラージュ要素
２０  第２の画像部
２１  第２の画像要素
３０  背景部
３１  背景要素
４０  共通画像部
４１  第３の画像要素
４３  第２のカモフラージュ要素
５１  補助要素
【図１】
2015039831.tif 000003
【図２】
2015039831.tif 000004
【図３】
2015039831.tif 000005
【図４】
2015039831.tif 000006
【図５】
2015039831.tif 000007
【図６】
2015039831.tif 000008
【図７】
2015039831.tif 000009
【図８】
2015039831.tif 000010
【図９】
2015039831.tif 000011
【図１０】
2015039831.tif 000012
【図１１】
2015039831.tif 000013
【図１２】
2015039831.tif 000014
【図１３】
2015039831.tif 000015
【図１４】
2015039831.tif 000016
【図１５】
2015039831.tif 000017
【図１６】
2015039831.tif 000018
【図１７】
2015039831.tif 000019
【図１８】
2015039831.tif 000020
【図１９】
2015039831.tif 000021
【図２０】
2015039831.tif 000022
【図２１】
2015039831.tif 000023
【図２２】
2015039831.tif 000024
【図２３】
2015039831.tif 000025
【図２４】
2015039831.tif 000026
【図２５】
2015039831.tif 000027
【図２６】
2015039831.tif 000028
【図２７】
2015039831.tif 000029
【図２８】
2015039831.tif 000030
【図２９】
2015039831.tif 000031